(57)【要約】【課題】  第２中間トレイのストッパの位置調整を給紙トレイによる視野の狭まりの影響を受けずに行えるようにするとともに、２つ折りの場合と３つ折り又は４つ折りの場合とで異なる用紙の搬送経路を変更をも一度の操作で同時に行える紙折機を提供する。【解決方法】  第２中間トレイに左右に摺動可能で、かつストッパの移動方向に対して４５度の角度をもって穿設された案内溝を備えたスライド板を設け、前記ストッパの下部に突出配設されたコロ軸を、前記スライド板の案内溝に挿入することによって、前記スライド板の左右の移動をストッパの前後の移動に変換し、かつ、前記ストッパの爪部がシャッタ制御機構に当接するか否かによって回動位置が異なる回動機構と、同回動機構が固着されたシャッタ本体によってシャッタ本体の姿勢が制御されてなる紙折機による。【選択図】  図１
0003134273.tif 000002
【実用新案登録請求の範囲】
【請求項１】
折り畳む用紙を載置する給紙トレイ２と、送られてくる用紙の先端が突き当てられるストッパ５を用紙の寸法、折り方によって移動可能に備えてなる第１中間トレイ３、第２中間トレイ４と、前記用紙を給紙トレイ２から１枚ずつ取り出し、その先端を第１中間トレイ３、第２中間トレイ４のストッパ５、５’に突き当てながら搬送することによって前記用紙を所定の形状に折り畳む複数のローラ８ａ〜８ｅからなる紙折ローラ機構とを備えた紙折機１において、
給紙トレイ２の下方空間に配置される第２中間トレイ４が、用紙が搬送され、折り畳まれる途中に、用紙の先端部が一次的に挿入される用紙挿入部４１を有するトレイ本体４０と、
前記用紙挿入部４１の底面及び上面の相対する位置に穿設された複数の縦溝４２に、前記用紙挿入部４１の底面側から上面上部に突出するよう貫入され、用紙挿入部４１に挿入される用紙の先端を折り方によって定まる長さの位置で停止させるストッパ５’と、
前記ストッパ５’をその下部に設けたストッパ摺動軸５２に沿って所定の位置まで前後に移動させるストッパ移動手段とからなり、
前記ストッパの前後への移動手段が、左右の移動を前後の移動に変換する運動変換機構によって構成されてなることを特徴とする紙折機。
【請求項２】
前記運動変換機構が、第２中間トレイの本体に沿って左右に摺動可能で、かつ前記ストッパの移動方向に対して４５度の角度をもって穿設された案内溝６１を備えたスライド板６０の前記案内溝６１に、前記ストッパ５’の下部に突出配設されたコロ軸５３を挿入することによって構成され、前記スライド板６０の左右移動をストッパ５’の前後移動に変換可能にしてなることを特徴とする請求項１に記載の紙折機。
【請求項３】
前記トレイ本体４０の表面下端部に、用紙の長さ、折り方によって定まるストッパ位置に対応するスライド板６０の位置を表示した表示板７’が配設されてなり、前記スライド板６０が、該スライド板６０を左右に移動させるためのつまみ６２と、前記表示板に記載されたスライド板６０の所定の位置に合致させるための指標を備えてなることを特徴とする請求項１又は２に記載の紙折機。
【請求項４】
前記スライド板６０の指標が、前記表示パネル７’の２つ折りの表示位置にあるとき、第１中間トレイ３から送られてくる用紙の第２中間トレイ４への進入を阻止して完成品トレイ６へ向かわせ、前記スライド板６０の指標が、前記表示パネル７’の３つ折り又は４つ折りの表示位置にあるとき、第１中間トレイ３から送られてくる用紙を第２中間トレイ４に向かわせるシャッタ機構７０を備えてなることを特徴とする請求項１〜３のいずれか１項に記載の紙折機。
【請求項５】
前記シャッタ機構７０が、
紙折ローラ機構８ａ〜８ｅのローラ８ｄに相対する面が凹面をなす三角柱状体のシャッタ本体７１と、
用紙を２つ折りにする場合と３つ折り又は４つ折りにする場合とでシャッタ本体７１の凹面の向きを変化させるための回動機構７２と、
用紙を２つ折りにする際には前記回動機構７２に当接してシャッタ本体７１の凹面を用紙が２つ折りにされて完成品トレイ６に伝送される向きに設定し、３つ折り又は４つ折りにする際にはバネ７４によって引き戻されてシャッタ本体７１の凹面を用紙が第２中間トレイ４に伝送される向きとなるように制御するシャッタ制御機構７３とからなり、
前記スライド板６０を２つ折りの指標に合わせたとき、ストッパ５’が２つ折りの所定位置に配設されるとともに、前記ストッパ５’がシャッタ制御機構７３に当接して前方に押し出し、該シャッタ制御機構７３が前記シャッタ本体７１の凹面の向きを、２つ折りにされた完成品が完成品トレイ６に伝送されるよう制御し、前記スライド板６０を３つ折り又は４つ折りの指標に合わせたとき、前記ストッパ５’が３つ折り又は４つ折りの所定位置に配設されるとともに、前記シャッタ制御機構７３がバネ７４によって引き戻され、シャッタ本体７１の凹面の向きを、用紙が第２中間トレイ４に伝送可能に制御するよう構成されてなることを特徴とする請求項１〜４のいずれか１項に記載の紙折機。
【考案の詳細な説明】
【技術分野】
【０００１】
本考案は、給紙トレイと、用紙の長さ、折り方、折り数によってその設置位置を調整するストッパを有する第１、第２の中間トレイを備えた紙折機に関し、特に給紙トレイの下部空間に配置される第２中間トレイの操作性を改善した紙折機に関する。
【背景技術】
【０００２】
紙折機で用紙を折り畳む際、折り畳む用紙の長さと、２つ折り、４つ折り、内３つ折り、外３つ折り、観音折りなどの折数や折り方によって設定するストッパの位置が異なることから、その都度その位置を調整する必要がある。また、３つ折り又は４つ折りの場合と、２つ折りの場合とで第２中間トレイに用紙を送り込むか否かを制御するシャッタの設定変更も必要となる。
従来の紙折機１では、図４に示すように、該紙折機１の上部に位置する第１中間トレイ３のストッパ５は目視で容易に位置調整ができるが、給紙トレイ２の下方の空間に存在する第２中間トレイ４のストッパ５’については、給紙トレイ２によって視野が狭められるのでその位置調整は容易ではない。ストッパ５’の位置調整を容易にする調整レバー９を備えていても、調整レバー９を上下に移動することから、上方に移動すると調整レバー８に給紙トレイ２が覆い被さる状態となり位置調整の困難さを完全には解決し得ていない。
【考案の開示】
【考案が解決しようとする課題】
【０００３】
本考案は、上記背景技術に鑑み、第２中間トレイのストッパの位置調整を、従来の上下移動による調整レバーでなく、左右に移動するスライド板を備えることによって給紙トレイによる視野の狭まりの影響を受けることなく行えるようにし、併せて、前記スライド板を２つ折りの指標位置に設置したとき第２中間トレイのストッパを２つ折りの所定位置に配設するとともに前記シャッタを用紙が第２中間トレイに挿入されることなく完成品として取り出される向きに設定し、該スライド板を３つ折り又は４つ折りの指標位置に設置したとき第２中間トレイのストッパを３つ折り又は４つ折りの所定位置に配設するとともに前記シャッタを用紙が第２中間トレイに挿入される向きに設定されるようにして、ストッパとシャッタの設定をスライド板の移動によって一度に行えるようにし、操作性に富んだ紙折機を提供することを課題とする。
【課題を解決するための手段】
【０００４】
本考案者らは、上記課題を下記の手段により解決した。
（１）折り畳む用紙を載置する給紙トレイと、送られてくる用紙の先端が突き当てられるストッパを用紙の寸法、折り方によって移動可能に備えてなる第１、第２の中間トレイと、前記用紙を給紙トレイから１枚ずつ取り出し、その先端を第１、第２の中間トレイのストッパに突き当てながら搬送することによって前記用紙を所定の形状に折り畳む複数のローラからなる紙折ローラ機構とを備えた紙折機において、
給紙トレイの下方空間に配置された第２中間トレイが、用紙が搬送され、折り畳まれる途中に用紙の先端部が一次的に挿入される用紙挿入部を有するトレイ本体と、
前記用紙挿入部の底面及び上面の相対する位置に穿設された複数の縦長の溝孔に、前記用紙挿入部の底面側から上面上部に突出するよう貫入され、用紙挿入部に挿入される用紙の先端を折り方によって定まる長さの位置で停止させるストッパと、
前記ストッパをその下部に設けたストッパ摺動軸に沿って所定の位置まで前後に移動させるストッパ移動手段とからなり、
前記ストッパの前後への移動手段が、左右の移動を前後の移動に変換する運動変換機構によって構成されてなることを特徴とする紙折機。
【０００５】
（２）前記運動変換機構が、第２中間トレイの本体に沿って左右に摺動可能で、かつ前記ストッパの移動方向に対して４５度の角度をもって穿設された案内溝を備えたスライド板の前記案内溝に、前記ストッパの下部に突出配設されたコロ軸を挿入することによって構成され、前記スライド板の左右移動をストッパの前後移動に変換可能にしてなることを特徴とする前項（１）に記載の紙折機。
【０００６】
（３）前記トレイ本体の表面下端部に、用紙の長さ、折り方によって定まるストッパの位置に対応するスライド板の位置を表示した表示板が配設されてなり、前記スライド板が、該スライド板を左右に移動させるためのつまみと、前記表示板に記載されたスライド板の所定の位置に合致させるための指標を備えてなることを特徴とする前項（１）又は（２）に記載の紙折機。
【０００７】
（４）前記スライド板の指標が、前記表示パネルの２つ折りの表示位置にあるとき、第１中間トレイから送られてくる用紙の第２中間トレイへの進入を阻止して完成品トレイへ向かわせ、前記スライド板の指標が、前記表示パネルの３つ折り又は４つ折りの表示位置にあるとき、第１中間トレイから送られてくる用紙を第２中間トレイに向かわせるシャッタ機構を備えてなることを特徴とする前項（１）〜（３）のいずれか１項に記載の紙折機。
【０００８】
（５）前記シャッタ機構が、紙折ローラ機構のローラに相対する面が凹面をなす三角柱状体のシャッタ本体と、
用紙を２つ折りにする場合と３つ折り又は４つ折りにする場合とでシャッタ本体の凹面の向きを変化させるための回動機構と、
用紙を２つ折りにする際には前記回動機構に当接してシャッタ本体の凹面を用紙が２つ折りにされて完成品トレイに伝送される向きに設定し、３つ折り又は４つ折りにする際にはバネによって引き戻されてのシャッタ本体の凹面を用紙が第２中間トレイに伝送される向きにとなるように制御するシャッタ制御機構とからなり、
前記スライド板を２つ折りの指標に合わせたとき、ストッパが２つ折りの所定位置に配設されるとともに、前記ストッパがシャッタ制御機構に当接して前方に押し出して該シャッタ制御機構が前記シャッタ本体の凹面の向きを２つ折りにされた完成品が完成品トレイに伝送されるよう制御し、前記スライド板を３つ折り又は４つ折りの指標に合わせたとき、前記ストッパが３つ折り又は４つ折りの所定位置に配設されるとともに、前記シャッタ制御機構がバネによって引き戻され、シャッタ本体の凹面の向きを用紙が第２中間トレイに伝送可能に制御するよう構成されてなることを特徴とする前項（１）〜（４）のいずれか１項に記載の紙折機。
【考案の効果】
【０００９】
〈１〉折り畳む用紙を載置する給紙トレイと、送られてくる用紙の先端が突き当てられるストッパを用紙の寸法、折り方によって移動可能に備えてなる第１、第２の中間トレイと、前記用紙を給紙トレイから１枚ずつ取り出し、その先端を第１、第２の中間トレイのストッパに突き当てながら搬送する紙折ローラ機構によって前記用紙を所定の形状に折り畳む紙折機において、
給紙トレイの下方空間に配置された第２中間トレイが、用紙が搬送され、折り畳まれる途中に用紙の先端部が一次的に挿入される用紙挿入部を有するトレイ本体と、
前記用紙挿入部の底面及び上面の相対する位置に穿設された複数の縦長の溝孔に、前記用紙挿入部の底面側から上面上部に突出するよう貫入され、用紙挿入部に挿入される用紙の先端を折り方によって定まる長さの位置で停止させるストッパと、
前記ストッパをその下部に設けた摺動軸に沿って前後に所定の位置まで移動させるストッパ移動手段とからなり、
前記ストッパ移動手段が、左右の移動を前後の移動に変換する運動変換機構によって構成されているので、従来給紙トレイにその視野を狭められながら調節レバーを前後に動かして行われてきたストッパの位置調節が、給紙トレイに視野を妨げられることのない左右の動きで可能になり、紙折機の操作が簡便、容易になる。
〈２〉前記運動変換機構が、第２中間トレイの本体に沿って左右に摺動可能で、かつ前記ストッパの移動方向に対して４５度の角度をもって穿設された案内溝を備えたスライド板の前記案内溝に、前記ストッパの下部に突出配設されたコロ軸を挿入することによって構成され、前記スライド板の左右移動をストッパの前後移動に変換可能にしているので、ストッパの位置調節が、給紙トレイに視野を妨げられることなく簡便容易に行うことができる。
〈３〉前記トレイ本体の表面下端部に、用紙の長さ、折り方によって定まるストッパ停止の位置に対応するスライド板の位置を表示した表示板が配設されてなり、前記スライド板が、該スライド板を左右に移動させるためのつまみと、前記表示板に記載されたスライド板の所定の位置に合致させるための指標を備えているので、第２中間トレイのストッパの位置調整を簡便容易に行うことができる。
【００１０】
〈４〉前記スライド板の指標が、前記表示パネルの２つ折り表示にあるとき、第１中間トレイから送られてくる用紙の第２中間トレイへの進入を阻止して完成品トレイへ向かわせ、前記スライド板の指標が、前記表示パネルの３つ折り又は４つ折り表示にあるとき、第１中間トレイから送られてくる用紙を第２中間トレイに向かわせるシャッタ機構が、ローラ機構に相対する面が凹面をなす三角柱状体のシャッタ本体と、
用紙を２つ折りにする場合と３つ折り又は４つ折りにする場合とでシャッタ本体の凹面の向きを変化させるための回動機構と、
用紙を２つ折りにする際には前記回動機構に当接してシャッタ本体の凹面を用紙が２つ折りにされて完成品トレイに伝送される向きに設定し、３つ折り又は４つ折りにする際にはバネによって引き戻されてシャッタ本体の凹面を用紙が第２中間トレイに伝送される向きとなるように制御するシャッタ制御機構とからなり、
前記スライド板を２つ折りの指標に合わせたとき、ストッパが２つ折りの所定位置に配設されるとともに、前記ストッパがシャッタ制御機構に当接して前方に押し出して該シャッタ制御機構が前記シャッタ本体の凹面の向きを２つ折りにされた完成品が完成品トレイに伝送されるよう制御し、前記スライド板を３つ折り又は４つ折りの指標に合わせたとき、前記ストッパが３つ折り又は４つ折りの所定位置に配設されるとともに、前記シャッタ制御機構がバネによって引き戻され、シャッタ本体の凹面の向きを用紙が第２中間トレイに伝送可能に制御するよう構成されているので、スライド板の操作によってストッパの位置設定とシャッタの制御とが一度にでき、操作が簡単な紙折機が実現できる。
【考案を実施するための最良の形態】
【００１１】
本考案の紙折機を実施するための形態を、実施例の図に基づいて説明する。
図１は本考案の紙折機実施例の斜視図、図２は本考案の第２中間トレイの構成斜視図、図３−１は本考案の紙折機で２つ折りをする場合のストッパ位置とシャッタ制御機構の状態を示す説明図、図３−２は本考案の紙折機で４つ折りをする場合のストッパ位置とシャッタ制御機構の状態を示す説明図である。
図において１は紙折機、２は給紙トレイ、３は第１中間トレイ、４は第２中間トレイ、５、５’はストッパ、６は完成品トレイ、７、７’は表示板、８ａ〜８ｅは紙折ローラ、４０はトレイ本体、４１は用紙挿入部、４２は縦溝、５１は爪部、５２はストッパ摺動軸、５３はコロ軸、６０はスライド板、６１は案内溝、６２はつまみである。
【００１２】
本考案の紙折機１は、図１に示すように、折り畳む用紙を載置する給紙トレイ２と、送られてくる用紙の先端が突き当てられるストッパ５、５’を用紙の寸法、折り方によって移動可能に備えてなる第１、第２の中間トレイ３、４と、前記用紙を給紙トレイ２から１枚ずつ取り出し、その先端を第１、第２の中間トレイ３，４のストッパ５、５’に突き当てながら搬送することによって前記用紙を所定の形状に折り畳む紙折機において、
給紙トレイ２の下方空間に配置された第２中間トレイ４が、図２に示すように、用紙が搬送され、３つ折り又は４つ折りに折り畳まれる途中で用紙の先端部が一次的に挿入される用紙挿入部４１（図３−１、図３−２参照）を有するトレイ本体４０と、
前記用紙挿入部４１の底面及び上面の相対する位置に穿設された複数の縦長の溝孔４２に、前記用紙挿入部４１の底面側から上面上部に突出するよう貫入され、用紙挿入部４１に挿入される用紙の先端を折り方によって定まる長さの位置で停止させる複数の爪５１を有するストッパ５’と、
前記ストッパ５’をその下部に設けた摺動軸５２に沿って前後に所定の位置まで移動させるストッパ移動手段とからなり、そして前記ストッパ移動手段は、左右の移動を前後の移動に変換する運動変換機構によって構成されている。
【００１３】
本考案の運動変換機構は、第２中間トレイ４のトレイ本体４０に沿って左右に摺動可能で、かつ前記ストッパ５’の移動方向に対して４５度の角度をもって穿設された案内溝６１を備えたスライド板６０の前記案内溝６１に、前記ストッパ５’の下部に突出配設されたコロ軸５３を挿入して、前記スライド板６０の左右の移動をストッパ５’の前後の移動に変換している。
さらに前記トレイ本体４０の表面下端部に、用紙の長さ、折り方によって定まるストッパ５’の位置に対応するスライド板６０の位置を表示した表示板７’が配設されており、さらに、前記スライド板６０には、スライド板を左右に移動させるためのつまみ６２と、該つまみの上面にスライド板６０が前記表示板７’に表示されたスライド板６０の所定位置に合致させるための指標（図示せず）が備えられている。
したがって、第２中間トレイ４のストッパ５’の位置調整は、スライド板６０を左右に移動し、つまみ６２の上面の指標を前記トレイ本体４０の表面下端部に配設された表示板７’に表示された用紙の長さ、折り方によって定まるスライド板６０の停止位置に合わせることによって行え、給紙トレイ２にその視野が妨げられることがなくなるので、紙折機の操作性の大幅な向上が図れる。
なお、本考案では、運動変換機構を第２中間トレイ４のトレイ本体４０に沿って左右に摺動可能で、かつ前記ストッパ５’の移動方向に対して４５度の角度をもって穿設された案内溝６１を備えたスライド板６０の前記案内溝６１に、前記ストッパ５’の下部に突出配設されたコロ軸５３を挿入して、前記スライド板６０の左右の移動をストッパ５’の前後の移動に変換するものとしたが、これに限られるものではなく、直交する２つの案内溝と連棹、直角レバーとローラ、ベルトとドラムなど、左右の移動を前後の移動に変換できる機構であれば使用できるが、構造が簡単で故障のおそれが少なく、操作が容易なものがより好ましい。
【００１４】
また本考案の紙折機１は、前記スライド板６０のつまみ６２の上面の指標が、前記表示パネル７’の２つ折りの表示位置にあるとき、第１中間トレイ３から送られてくる用紙の第２中間トレイ４への進入を阻止して完成品トレイ６へ向かわせ、前記スライド板６０の指標が、前記表示パネル７’の３つ折り又は４つ折りの表示位置にあるとき、第１中間トレイ３から送られてくる用紙を第２中間トレイ４に向かわせるシャッタ機構を備えている。
【００１５】
前記シャッタ機構は、図３−１、図３−２に示すように、用紙を搬送し折り曲げるローラ機構の折りローラ８ｅに相対する面が前記折りローラ８ｅに対応する凹面をした三角柱状体のシャッタ本体７１と、
用紙を２つ折りにする場合と３つ折り又は４つ折りにする場合とでシャッタ本体７１の凹面の向きを変化させるための回動機構７２と、
用紙を２つ折りにする際には前記回動機構７２に当接してシャッタ本体７１の凹面を用紙が２つ折りにされて完成品トレイ６に伝送される向きに設定し、３つ折り又は４つ折りにする際にはバネ７４によって引き戻されてシャッタ本体７１の凹面を用紙が第２中間トレイ４に伝送される向きとなるように制御するシャッタ制御機構７３とで構成されている。
【００１６】
前記スライド板６０のつまみ６２上面の指標を前記表示板７’の２つ折りと表示された位置に合わせると、図３−１に示すように、ストッパ５’が前記用紙挿入部４１の先端部の所定位置に配設され、用紙先端の用紙挿入部４１への進入を阻止するとともに、前記ストッパ５’の爪部５１がシャッタ制御機構７３に当接して前方に押し出し、押し出されたシャッタ制御機構７３が前記回動機構７２を前方に回動し、回動機構７２に固着された前記シャッタ本体７１の凹面の向きを２つ折りにされた完成品が完成品トレイ６に伝送されるよう制御する。
そして前記第１中間トレイ３のストッパ５を、用紙の半分が第１中間トレイ３の用紙挿入部に挿入されるように配設して紙折機を稼働すると、紙折ローラー機構の第１のローラ８ａが給紙トレイ２から用紙を１枚ずつ取り出し、第２、第３のローラ８ｂ、８ｃによって前記用紙を第１中間トレイの用紙挿入部に送り込む。前記第１中間トレイ３の用紙挿入部に用紙の半分が送り込まれると、用紙の先端がストッパ５に当接し、それ以上の挿入は阻止されるが、ローラ８ｂ、８ｃは用紙の残り半分を送り出し続ける。したがって前記用紙は第１中間トレイ３の用紙挿入部の開口部で撓み、撓みの先端部がローラ８ｃとローラ８ｄとの間に垂下して挟み込まれ、用紙の中央片から折り曲げられ前記シャッター本体７１に送られる。このときシャッター本体７１の凹面が用紙を完成品トレイ６に向かわせる向きとなっているので、用紙は２つ折りにされて完成品トレイ６に送出される。
【００１７】
また、前記スライド板６０のつまみ６２上面の指標を前記表示板７’の３つ折り又は４つ折りと表示された位置に合わせると、図３−２に示すように、前記ストッパ５’が前記用紙挿入部４１の深部の３つ折り又は４つ折りの所定位置に配設され、用紙先端の用紙挿入部４１への受け入れを可能にするとともに、前記ストッパ５’の爪部５１が前記シャッタ制御機構７３に当接して押し出さないので、前記シャッタ制御機構はバネ７４によって引き戻され、回動機構７２から離脱し、前記シャッタ制御機構は回動軸周りに配設されたコイルバネ等（図示せず）によって回動してシャッタ本体７１の凹面の向きを用紙の先端が第２中間トレイ４の用紙挿入部４１に向かうよう制御する。
いま、スライド板６０のつまみ６２上面の指標を前記表示板７’の３つ折りの位置に合わせ、前記第１中間トレイ３のストッパ５を用紙挿入部に用紙の３分の１が第１中間トレイ３の用紙挿入部に挿入されるように配設して紙折機を稼働すると、紙折ローラー機構の第１のローラ８ａが給紙トレイ２から用紙を１枚ずつ取り出し、第２、第３のローラ８ｂ、８ｃによって前記用紙を第１中間トレイの用紙挿入部に送り込む。前記第１中間トレイ３の用紙挿入部に用紙の３分の１が送り込まれると、用紙の先端がストッパ５に当接し、それ以上の挿入は阻止されるが、ローラ８ｂ、８ｃは用紙の残り３分の２を送り出し続ける。したがって前記用紙は第１中間トレイ３の用紙挿入部の開口部で撓み、撓みの先端部がローラ８ｃとローラ８ｄとの間に垂下して挟み込まれ、用紙の先端から３分の１の部分で折り曲げられ前記シャッター本体７１に送り込まれる。このとき前記シャッター本体７１の凹面が用紙を第２中間トレイ４に向かわせる向きとなっているので、用紙は折り目を先端として第２中間トレイ４の用紙挿入部４１に送り込まれる。前記第２中間トレイ４の用紙挿入部４１に送り込まれた用紙は、先端となった折り目が用紙の３分の１に相当する位置まで送り込まれるとストッパ５’に当接し、それ以上の挿入は阻止されるが、ローラ８ｃ、８ｄ用紙の残り３分の１を送り出し続ける。したがって前記用紙は第２中間トレイ４の用紙挿入部４１の開口部で撓み、撓みの先端がローラ８ｄとローラ８ｅとの間に垂下して挟み込まれ、折り曲げられて、３つ折りの完成品として完成品トレイ６に送出される。
【００１８】
本考案の紙折機は、上記のようにスライド板６０のつまみ６２上面の指標を、第２中間トレイ４の表面下端部に配設された表示板７’の表示に合わせて移動するだけで、ストッパ５’を所定に位置に配設し、２つ折りの場合と３つ折り又は４つ折りの場合とで異なる前記シャッタ本体７１の姿勢を制御でき、しかも表示板７’の表示へ指標を合わせる操作が、スライド板６０のつまみ６２の左右の移動によるので、第２中間トレイ４の上方空間に存在する給紙トレイ２に視野を妨げられることなく、操作が確実簡便に行え、かつ折りむらのない美しい完成品の得られる紙折機が実現できる。
【図面の簡単な説明】
【００１９】
【図１】本考案の紙折機実施例の斜視図
【図２】本考案の第２中間トレイの構成斜視図
【図３−１】本考案の紙折機で２つ折りをする場合のストッパ位置とシャッタ制御機構の状態を示す説明図
【図３−２】本考案の紙折機で４つ折りをする場合のストッパ位置とシャッタ制御機構の状態を示す説明図
【図４】従来の紙折機の斜視図
【符号の説明】
【００２０】
１：紙折機
２：給紙トレイ
３：第１中間トレイ
４：第２中間トレイ
５、５’：ストッパ
６：完成品トレイ
７、７’：表示板
８ａ〜８ｅ：紙折ローラ
９：調整レバー
４０：トレイ本体
４１：用紙挿入部
４２：縦溝
５１：爪部
５２：ストッパ摺動軸
５３：コロ軸
６０：スライド板
６１：案内溝
６２：つまみ
７０：シャッタ機構
７１：シャッタ本体
７２：回動機構
７３：シャッタ制御機構
７４：バネ
【図１】
0003134273.tif 000003
【図２】
0003134273.tif 000004
【図３−１】
0003134273.tif 000005
【図３−２】
0003134273.tif 000006
【図４】
0003134273.tif 000007